(57)【要約】【課題】  工具を必要とすることなく誰でもが容易且つ素早く着脱自在できるものであり、シンプルな構成で、携帯性、収納性に優れ、乗用者にも優しい安価な車椅子用カバー装置を提供する。【解決手段】  左右垂直部分の両端部をそれぞれ回動自在に軸支して展開可能とする複数の可撓性のあるコ字状フレーム２ａ，２ｂ，２ｃと、コ字状フレーム２ａ，２ｂ，２ｃの左右垂直部分の両端部付近の内側にそれぞれ固定され、車椅子１０の背もたれシートフレーム１１に外方側から取り付けられるよう内方側に開口した着脱自在のフレーム装着係止具３ａ，３ｂと、複数のコ字状フレーム２ａ，２ｂ，２ｃを、乗用者上方で展開した状態で、乗用者及び車椅子の全体を覆うように装着する透明または半透明のカバー５とを備えて構成される。【選択図】図４
2015136613.tif 000002
【特許請求の範囲】
【請求項１】
車椅子に着脱自在に取り付けることができ、乗用者を雨、風、雪、陽射し等から防護する車椅子用カバー装置において、
左右垂直部分の両端部をそれぞれ回動自在に軸支して展開可能とする複数の可撓性のあるコ字状フレームと、
前記コ字状フレームの左右垂直部分の両端部付近の内側にそれぞれ固定され、車椅子の背もたれシートフレームに外方から取り付けられるよう内方側に開口した着脱自在のフレーム装着係止具と、
前記複数のコ字状フレームを、乗用者上方で展開した状態で、乗用者及び車椅子の全体を覆うように装着する透明または半透明のカバーと、を備えたことを特徴とする車椅子用カバー装置。
【請求項２】
前記複数のコ字状フレームは、アルミ製で、更にそれぞれのフレームのサイズを異ならせて形成し、折りたたんだ際に一番大きなサイズのフレーム内に残りのフレームが収納されることを特徴とする請求項１記載の車椅子用カバー装置。
【請求項３】
展開状態でその形態が維持されるよう前記複数のコ字状フレームの水平部分を複数の所定の長さの索状体で連結したことを特徴とする請求項１又は２記載の車椅子用カバー装置。
【請求項４】
前記コ字状フレームは３本で構成され、展開状態において、３本の各コ字状フレームは、垂直方向、斜め方向、水平方向でその形態が保持されると共に斜め方向のコ字状フレームは、乗用者の視線の邪魔にならない位置に保持されることを特徴とする請求項１乃至３のいずれかに記載の車椅子用カバー装置。
【発明の詳細な説明】
【技術分野】
【０００１】  本発明は、車椅子に容易に着脱自在に取り付けることができ、乗用者を雨、風、雪、陽射し等から防護することができる車椅子用カバー装置に関する。
【背景技術】
【０００２】  雨、風、雪、陽射し等から車椅子の乗用車を防護することができる車椅子用カバー装置に関する技術が多数公開されている。
車椅子用カバー装置としては、使用したい時、例えば雨が降ってきそうな時に、容易且つ素早く車椅子に取付けて組み立てられ、使用しない時、例えば晴天時に、取り外して折り畳んで携帯できることが望ましい。
車椅子に着脱自在に取付可能であり、複数の回転自在アーチ型フレームを扇状に展開状態と折畳状態に転換可能で、車椅子に取り付けた状態において、フレームを展開し、展開状態の屋根枠にカバーを装着する車椅子用カバー装置が提案されている（特許文献１参照）。
【先行技術文献】
【特許文献】
【０００３】
【特許文献１】  特閧２００９−３４４７５号公報
【発明の概要】
【発明が解決しようとする課題】
【０００４】  しかしながら、特許文献１にあるようなカバー装置にあっては、車椅子の背もたれシートフレームにネジにより取付固定するものであり、取り付けも取り外しも工具を必要とするものであるため、作業は簡単とは言えず、作業時間もある程度必要である。構造も複雑であるため、折畳状態でもある程度の大きさがあり、携帯性、収納性には課題がある。また、フレームにカバーを装着時した際に、カバーが撓む課題がある。更に、ネジにより強固に車椅子に固定されるため、障害があるような乗用者がフレームに強く当たった場合、乗用者にフレームの痕ができてしまうことが考えられる。【０００５】  本発明はこのような課題を解決しようとするものであり、工具を必要とすることなく誰でもが容易且つ素早く着脱自在できるものであり、シンプルな構成で、携帯性、収納性に優れ、乗用者にも優しい安価な車椅子用カバー装置を提供することを目的とする。
【課題を解決するための手段】
【０００６】  本発明に係る車椅子用カバー装置にあっては、車椅子に着脱自在に取り付けることができ、乗用者を雨、風、雪、陽射し等から防護する車椅子用カバー装置において、左右垂直部分の両端部をそれぞれ回動自在に軸支して展開可能とする複数の可撓性のあるコ字状フレームと、前記コ字状フレームの左右垂直部分の両端部付近の内側にそれぞれ固定され、車椅子の背もたれシートフレームに外方から取り付けられるよう内方側に開口した着脱自在のフレーム装着係止具と、前記複数のコ字状フレームを、乗用者上方で展開した状態で、乗用者及び車椅子の全体を覆うように装着する透明または半透明のカバーと、を備えたことを特徴とする。【０００７】  また、本発明にあっては、前記複数のコ字状フレームは、アルミ製で、更にそれぞれのフレームのサイズを異ならせて形成し、折りたたんだ際に一番大きなサイズのフレーム内に残りのフレームが収納されることを特徴とする。【０００８】  また、本発明にあっては、展開状態でその形態が維持されるよう前記複数のコ字状フレームの水平部分を複数の所定の長さの索状体で連結したことを特徴とする。【０００９】  また、本発明にあっては、前記コ字状フレームは３本で構成され、展開状態において、３本の各コ字状フレームは、垂直方向、斜め方向、水平方向でその形態が保持されると共に斜め方向のコ字状フレームは、乗用者の視線の邪魔にならない位置に保持されることを特徴とする。
【発明の効果】
【００１０】  本発明の車椅子用カバー装置にあっては、可撓性のあるコ字状フレームと内方側に開口した着脱自在のフレーム装着係止具の組み合わせにより、どのような車椅子にも工具を必要とすることなく誰でもが容易且つ素早く取り付け、取り外しができる。また、フレームを軽量なアルミ製とし、各フレームのサイズを異ならせることにより、容易にコンパクトに折りたたむことができ、携帯性に優れ、持ち運びが容易であり、また収納も容易にできる。さらに、複数のコ字状フレームの水平部分を複数の所定の長さの索状体で連結したことで、展開状態において索状体によりカバーの撓みを防止できる。【００１１】  また、車椅子の背もたれシートフレームに取り付けるため、取り付けが容易であり、取付位置だけで高さ調整も容易にできる。さらに、可撓性のある平型フレームで構成すると共に内方側に開口した着脱自在のフレーム装着係止具で車椅子の背もたれシートフレームに外方から取り付けるようにしたため、乗用者がフレームに当たるとフレームは撓み、更に強く当たると止め具がシートフレームから外れるため、乗用者に優しいものである。更にまた、部品点数を少なくシンプルな構成としたことで、安価で製造も容易なカバー装置を提供できる。
【図面の簡単な説明】
【００１２】
【図１】  本発明の実施形態に係る車椅子用カバー装置を車椅子に取り付けた状態におけるフレーム展開状態（カバー未装着状態）を示す側面図である。
【図２】  本発明の実施形態に係る車椅子用カバー装置を車椅子に取り付けた状態におけるフレーム展開状態（カバー未装着状態）を示す正面図である。
【図３】  本発明の実施形態に係る車椅子用カバー装置を車椅子に取り付けた状態におけるフレーム折畳状態（カバー未装着状態）を示す側面図である。
【図４】  本発明の実施形態に係る車椅子用カバー装置を車椅子に取り付けた状態におけるフレーム展開状態（カバー装着状態）を示す側面図である。
【図５】  本発明の実施形態に係る車椅子用カバー装置におけるフレーム支持部の部分拡大図であり、（ａ）はフレーム展開状態の側面図、（ｂ）はフレーム折畳状態の側面図、（ｃ）はフレーム装着係止具の背もたれシートフレームへの取付け状態を模式的に示す説明図である。
【発明を実施するための形態】
【００１３】  以下、本発明の実施形態について図面を参照しながら説明する。
【００１４】  本発明の車椅子用カバー装置１は、左右垂直部分の両端部をそれぞれ回動自在に軸支して展開可能とする複数の可撓性のあるコ字状フレーム２ａ，２ｂ，２ｃと、コ字状フレーム２ａ，２ｂ，２ｃの左右垂直部分の両端部付近の内側にそれぞれ固定され、車椅子の背もたれシートフレームに外方側から取り付けられるよう内方側に開口した着脱自在のフレーム装着係止具３ａ，３ｂと、複数のコ字状フレーム２ａ，２ｂ，２ｃを、乗用者上方で展開した状態で、乗用者及び車椅子の全体を覆うように装着する透明または半透明のカバー５とを備えて構成される。
【００１５】  複数のコ字状フレーム２ａ，２ｂ，２ｃは、軽量なアルミ製の平型フレームで形成されると共に可撓性を有している。各フレーム２ａ，２ｂ，２ｃは、左右垂直部分の両端部を軸ピン６ａ，６ｂによりゴムパッキン７ａ，７ｂを介して回動自在に軸支されている。軸ピン６ａ，６ｂは、各フレーム２ａ，２ｂ，２ｃの左右垂直部分の両端部、各フレーム間のゴムパッキン７ａ，７ｂを貫通し、フレーム装着係止具３ａ，３ｂの内部においてボルト８で固定される。各フレーム間にゴムパッキン７ａ，７ｂを介挿することで、各フレーム２ａ，２ｂ，２ｃの展開及び折畳の際の動きをスムーズにすることができる。また、コ字状フレーム２ａ，２ｂ，２ｃのそれぞれは、フレームのサイズを、２ａ＜２ｂ＜２ｃとなるよう異ならせて形成することで、図３に示すように折り畳んだ際に一番大きなサイズのフレーム２ｃ内にフレーム２ｂが、フレーム２ｂ内にフレーム２ａが収納されるため、収納性が向上し、携帯性に優れ、持ち運びが容易となる。
【００１６】  複数のコ字状フレーム２ａ，２ｂ，２ｃは、図１、図２に示すように展開状態でその形態が維持されるよう複数のコ字状フレームの水平部分を複数の所定の長さの索状体４ａ，４ｂ，４ｃ，４ｄを構成するワイヤーで連結している。フレーム２ａ，２ｂを所定の長さの索状体４ａ，４ｂで連結し、フレーム２ｂ，２ｃを所定の長さの索状体４ｃ，４ｂで連結している。また、展開状態において索状体４ａ，４ｂ，４ｃ，４ｄであるワイヤーは張架状態になっていることから、図４に示すようにカバー５を被せた際に、フレーム間におけるカバー５の撓みを防止することができる。なお、索状体は、ワイヤー以外の素材で構成しても構わないものであり、また、本数は２本以上であれば何本でも構わないものである。
【００１７】  コ字状フレーム２ａ，２ｂ，２ｃを３本で構成することで、展開状態において、フレーム２ａは垂直方向、フレーム２ｂは斜め方向、フレーム２ｃは水平方向でその形態が保持される。斜め方向のフレーム２ｂは、乗用者の視線の邪魔にならない位置に保持するよう索状体（ワイヤー）の長さを調整する。なお、フレームの本数は３本以上であれば何本でも構わないものである。
【００１８】  フレーム装着係止具３ａ，３ｂは、図５に示すように一番内側のコ字状フレーム２ａの左右垂直部分の両端部付近の内側に、内方側に開口するようそれぞれリベットで固定されており、車椅子１０の背もたれシートフレーム１１に外方側からはめ込んで取り付けられるようにしている。フレーム装着係止具３ａ，３ｂは、所定の長さの略円筒体で、周壁の一部が軸方向に開口して断面Ｃ字状に形成されていると共に弾力性を有している。背もたれシートフレーム１１に取り付ける際は、開口している部分を背もたれシートフレーム１１に押し当てながら内部側にはめ込むことで、シートフレーム１１にフレーム装着係止具３ａ，３ｂを取り付け固定できる。フレーム装着係止具３ａ，３ｂの内径は、背もたれシートフレーム１１の直径より狭く形成されていることから、強固に固定できる。フレーム装着係止具３ａ，３ｂは弾力性を有していることから、背もたれシートフレーム１１に背もたれシート材が取り付けてある状態でも、その上から取り付けられるものである。フレーム装着係止具３ａ，３ｂとしては、例えば農業用のビニールハウスを組み立てる際に、ビニールと骨組みを固定する器具であるパッカーが適用可能である。パッカーは、複数のステンレスが内蔵されていることから、背もたれシートフレーム１１に取り付けた際に、ゆるみがなく強固に固定状態を維持できるものである。フレーム装着係止具３ａ，３ｂは、車椅子１０の背もたれシートフレーム１１にはめ込むだけで取り付けられるため、取り付け作業が容易であり、また取付位置だけで高さ調整も容易にできる。
【００１９】  また、コ字状フレーム２ａ，２ｂ，２ｃを可撓性のある平型フレームで構成すると共に内方側に開口した着脱自在のフレーム装着係止具３ａ，３ｂで車椅子１０の背もたれシートフレーム１１に外方側からはめ込み取り付け固定するようにしたため、乗用者がフレームに当たるとフレーム２ａ，２ｂ，２ｃは撓み、更に強く当たるとフレーム装着係止具３ａ，３ｂのいずれかがシートフレーム１１から外れるため、乗用者に優しいものである。
【００２０】  カバー５は、図４に示すようにコ字状フレーム２ａ，２ｂ，２ｃを乗用者上方で展開した状態で、乗用者及び車椅子１０の全体を覆うように装着するものであり、透明または半透明のビニールカバー等で構成される。コ字状フレーム２ａ，２ｂ，２ｃとは別体で構成されているため、使用しない際は、小さく折り畳んで収納できるものであり、交換も容易である。
【００２１】  次に、本実施形態のカバー装置１の取り付け作業及び取り外し作業の方法について説明する。
【００２２】  取り付ける際は、先ず折り畳んだ状態のコ字状フレーム２ａ，２ｂ，２ｃの左右垂直部分を両手で持つ。その状態で、外側に少し撓ませて広げた状態で、車椅子１０の背もたれシートフレーム１１の取付け位置を確認しながら、その位置のシートフレーム１１に、図３に示すように内方側に開口する両側のフレーム装着係止具３ａ，３ｂを外方側からはめ込んで取り付け固定する。
【００２３】  取り付け固定できたら、次に、図１，図２に示すように、コ字状フレーム２ａ，２ｂ，２ｃの展開作業を行う。展開作業が終了したら、展開状態のコ字状フレーム２ａ，２ｂ，２ｃ及び張架状態の索状体４ａ，４ｂ，４ｃ，４ｄの上から、図４に示すように乗用者及び車椅子の全体を覆うようにカバー５を装着する。この作業のみで取付け作業は完了である。
【００２４】  この反対の作業を行うだけで、取り外す作業は終了である。
【符号の説明】
【００２５】１  車椅子用カバー装置
２ａ，２ｂ，２ｃ  コ字状フレーム
３，３ａ，３ｂ  フレーム装着係止具
４ａ，４ｂ，４ｃ，４ｄ  索状体（ワイヤー）
５  カバー
６，６ａ，６ｂ  軸ピン
７ａ，７ｂ  ゴムパッキン
８  ボルト
１０  車椅子
１１  背もたれシートフレーム
【図１】
2015136613.tif 000003
【図２】
2015136613.tif 000004
【図３】
2015136613.tif 000005
【図４】
2015136613.tif 000006
【図５】
2015136613.tif 000007